(57)【要約】 【課題】  患者の毛根およびその周部領域の毛髪をドナーとして効率的に採取することを可能とし、採取されたドナーを効率的に同じ患者の頭皮に移植することを目的にしている。【解決手段】  毛髪移植用具３３により、患者の頭皮のうち比較的生命力の強い毛髪１１を含むドナー２４を吸引・採取し、これを毛髪移植用ハンドピース３５に給送管路３４へと給送する。ハンドピース３５は頭皮のうち毛髪がない領域あるいは毛髪の少ない領域の皮膚に予め穿開された移植床に先端のドナー供給口５２を位置決めし、該移植床へドナー２４を移植するようにしている。【選択図】  図９
2007229330.tif 000002
【特許請求の範囲】
【請求項１】
患者の頭皮のうち、毛髪がない領域あるいは毛髪の少ない領域の皮膚に対し、その患者の他の領域にある比較的生命力の強い毛髪の毛根およびその周部領域を含む皮膚をドナーとして採取して移植する際に使用され、
ドナーとして採取する毛髪を中心として、その周部の皮膚に穿刺される先端尖鋭な管状の切込口と、該切込口が対応する皮膚領域に穿刺された状態において、該管状の切込口の全体を軸回りに回転駆動させ、ドナー領域の皮膚を穿開可能とする回転手段と、
を備えたことを特徴とする毛髪移植用具。
【請求項２】
患者の頭皮のうち、毛髪がない領域あるいは毛髪の少ない領域の皮膚に対し、その患者の他の領域にある比較的生命力の強い毛髪の毛根およびその周部領域を含む皮膚をドナーとして採取して移植する際に使用され、
ドナーとして採取する毛髪を中心として、その周部の皮膚に穿刺される先端尖鋭な管状の切込口と、該切込口が対応する皮膚領域に穿刺された状態において、該管状の切込口の全体を軸回りに回転駆動させ、ドナー領域の皮膚を穿開可能とする回転手段と、
回転手段により軸回りに回転駆動された切込口内に留置されるドナー領域の皮膚を、吸引エアにより切込口を形成する管状体の内部にドナーとして吸引・採取する吸引手段と、
を備えたことを特徴とする毛髪移植用具。
【請求項３】
患者の頭皮のうち、毛髪がない領域あるいは毛髪の少ない領域の皮膚に対し、その患者の他の領域にある比較的生命力の強い毛髪の毛根およびその周部領域を含む皮膚をドナーとして採取して移植する際に使用され、
ドナーとして採取する毛髪を中心として、その周部の皮膚に穿刺される先端尖鋭な管状の切込口と、該切込口が対応する皮膚領域に穿刺された状態において、該管状の切込口の全体を軸回りに回転駆動させ、ドナー領域の皮膚を穿開可能とする回転手段と、
回転手段により軸回りに回転駆動された切込口内に留置されるドナー領域の皮膚を、吸引エアにより切込口を形成する管状体の内部にドナーとして吸引・採取する吸引手段と、
管状体に接続され、順次吸引手段にて吸引される複数のドナーを貯留可能とし、内部に吸引手段により吸引される吸引エアを通過させるとともに、吸引エアとともに吸引されたドナーを捕集する捕集網を備えた貯留体と、
を備えたことを特徴とする毛髪移植用具。
【請求項４】
回転手段は切込口を構成する管状体と一体に構成され、または管状体と接続して構成される回転軸を備えたモータとされ、該モータの回転軸は吸引手段により吸引されるドナーを吸引エアとともに内部を通過可能とする管状体としてなる請求項２または請求項３のいずれかに記載の毛髪移植用具。
【請求項５】
患者の頭皮のうち、毛髪がない領域あるいは毛髪の少ない領域の皮膚に対し、その患者の他の領域にある比較的生命力の強い毛髪の毛根およびその周部領域を含む皮膚をドナーとして採取して移植する際に使用され、
ドナーとして採取する毛髪を中心として、その周部の領域が円形に穿開されたドナー領域の皮膚を、先端に形成された吸引口より管状体の内部にドナーとして吸引・採取する吸引手段と、
管状体に接続され、順次吸引手段にて吸引される複数のドナーを貯留可能とし、内部に吸引手段により吸引される吸引エアを通過させるとともに、吸引エアとともに吸引されたドナーを捕集する捕集網を備えた貯留体と、
を備えたことを特徴とする毛髪移植用具。
【請求項６】
患者の頭皮のうち、毛髪がない領域あるいは毛髪の少ない領域の皮膚に対し、その患者の他の領域にある比較的生命力の強い毛髪の毛根およびその周部領域を含む皮膚をドナーとして採取して移植する際に使用され、
ドナーとして採取する毛髪を中心として、その周部の皮膚に穿刺される先端尖鋭な管状の切込口と、該切込口が対応する皮膚領域に穿刺された状態において、該管状の切込口の全体を軸回りに回転駆動させ、ドナー領域の皮膚を穿開可能とする回転手段と、
回転手段により軸回りに回転駆動された切込口内に留置されるドナー領域の皮膚を、吸引エアにより切込口を形成する管状体の内部にドナーとして吸引・採取する吸引手段と、
管状体に接続され、順次吸引手段にて吸引されるドナーを、吸引エアとともに患者の頭皮のうち、毛髪がない領域あるいは毛髪の少ない領域の皮膚で、穿開処理された移植先の皮膚のポイントに位置決めされた毛髪移植用ハンドピースに給送する給送管路と、
を備えたことを特徴とする毛髪移植用具。
【請求項７】
患者の頭皮のうち、毛髪がない領域あるいは毛髪の少ない領域の皮膚に対し、その患者の他の領域にある比較的生命力の強い毛髪の毛根およびその周部領域を含む皮膚をドナーとして採取して移植する際に使用され、
全体管状をなすシリンダ内にピストンを内挿し、該ピストンはシリンダの一端側に接続されるエアポンプの吸排動作によりシリンダ内を軸線方向に往復動し、シリンダの他端側においてピストンに取着され、シリンダの他端に配設される筒状部内に内挿されて、筒状部内の先端に形成されるドナー供給口より、該筒状部に供給されたドナーを押し出して、患者の頭皮のうち、毛髪がない領域あるいは毛髪の少ない領域の皮膚で穿開処置された移植先の皮膚のポイントに位置決めされたドナー供給口より、ドナーを供給して移植する移植ロッドを備えた毛髪移植用ハンドピースであって、
シリンダの他端側の筒状部に、ドナーを筒状部内に対して毛髪がピストン側に向き、かつ毛根およびその周部領域がドナー供給口に向く姿勢で供給する給送管路を接続させることとした毛髪移植用ハンドピース。
【請求項８】
シリンダの一端側には、シリンダ内を往復動するピストンの一端側のストローク端の位置を規制し、シリンダの軸線方向にスライド可能とされる調整部材を備えることとした請求項７に記載の毛髪移植用ハンドピース。
【請求項９】
給送管路は患者の他の領域にある比較的生命力の強い毛髪の毛根およびその周部領域を含む皮膚からなるドナーを吸引・採取する毛髪採取用の毛髪移植用具に接続され、採取された状態のドナーをシリンダの他端側の筒状部に給送するものである請求項７に記載の毛髪移植用ハンドピース。
【請求項１０】
シリンダの他端側の筒状部には、給送されたドナーに付着された血液、不純物を吸引・除去する吸引管路を接続することとした請求項７、請求項８、請求項９のいずれかに記載の毛髪移植用ハンドピース。
【発明の詳細な説明】
【技術分野】
【０００１】
本発明は、患者の頭皮のうち、毛髪がない領域あるいは毛髪の少ない領域の皮膚に対し、その患者の他の領域にある比較的生命力の強い毛髪の毛根およびその周部領域を含む皮膚を、ドナーとして採取して移植する際に使用する毛髪移植用具並びに毛髪移植用のハンドピースに関する。
【背景技術】
【０００２】
近年、かつらや人工毛植毛法に替わる薄毛に対する処置として、自毛植毛法が注目されている。自毛植毛法とは後頭部や側頭部など患者の毛髪のうち、比較的生命力の強い毛髪の毛根およびその周部領域を含む皮膚をドナーとして採取し、該ドナーを同じ患者の頭皮のうち毛髪の少ない領域や毛髪のない領域に移植する施術法に係る。自毛植毛は、かつらや人工毛植毛と異なり患者自身の毛髪を脱毛部に移植して再生するものであることから、移植先での毛髪の生着率が高く、いわゆる拒否反応がほとんど見られないという利点がある。
【０００３】
一般に自毛植毛の施術法としては、図１４から図１７に示す方法が採用されている。先ず図１４に示すように毛髪の密生した後頭部などからメスを用いて毛髪群１を帯状に切除し、この毛髪群１をメス２により各毛根およびその周部領域に裁断して株分けし、ドナー３を生成するようにする（図５参照）。こうして株分けし、生成されたドナー３を図１６に示すように同じ患者の頭皮のうち、毛髪の少ない領域や毛髪のない領域の皮膚に移植するところであるが、移植は図１６に示すように、予めメス２で移植先の皮膚を切開して移植床４を形成し、この部分にピンセット５で保持されたドナー３を植え付けることにしていた。こうして図１７に示すように、例えば髪の毛が少ない前頭部にドナー３が移植されることとなり、一方帯状に切除された部位については縫合して皮膚として再生されることとなる。こうした施術を何度が繰り返すことにより図１８に示すように患者の頭部全体に髪の毛が再生されることとなり、自毛による植毛が完成されることとなる。
【０００４】
しかしながらこうした施術方法においては、メス２により切除した毛髪群１を株分けする必要性があり、その分時間がかかる不具合がある。すなわち、毛髪群１を株分けしてドナー３を生成するのに多くの時間がかかると、その分皮膚細胞の鮮度が低下することとなり、ドナー３の生着率の低下を招くものとされていた。
【０００５】
こうしたことから、従来特開平６−３１５４９３号に係る採毛植毛器などに見られるように、直接個々の患者の毛髪の毛根およびその周部領域をドナーとして採取し、採取されたドナーを移植される皮膚に１本１本植毛する採毛植毛器が提案されていた。この採毛植毛器によれば、採取されたドナーをすぐに移植先に移植できる利点がある。
【特許文献１】特開平６−３１５４９３号
【発明の開示】
【発明が解決しようとする課題】
【０００６】
しかし、上記特許文献１に係る採毛植毛器では、１本１本ドナーを採取して、これを植毛しなければならないため、効率的な植毛ができず、１回の施術で植毛できるドナーの本数が限られていた。
【０００７】
本発明は、こうした従来の自毛植毛法の施術や採毛植毛器の不具合に着目してなされたものである。すなわち本発明は、患者の毛根およびその周部領域の毛髪をドナーとして効率的に採取することを可能とし、採取されたドナーを効率的に同じ患者の頭皮に移植することを目的にしている。
【課題を解決するための手段】
【０００８】
上記目的を達成するため、請求項１に記載の発明は、患者の頭皮のうち、毛髪がない領域あるいは毛髪の少ない領域の皮膚に対し、その患者の他の領域にある比較的生命力の強い毛髪の毛根およびその周部領域を含む皮膚をドナーとして採取して移植する際に使用され、ドナーとして採取する毛髪を中心として、その周部の皮膚に穿刺される先端尖鋭な管状の切込口と、該切込口が対応する皮膚領域に穿刺された状態において、該管状の切込口の全体を軸回りに回転駆動させ、ドナー領域の皮膚を穿開可能とする回転手段と、を備えたことを特徴とする毛髪移植用具としたものである。
【０００９】
請求項２に記載の発明は、患者の頭皮のうち、毛髪がない領域あるいは毛髪の少ない領域の皮膚に対し、その患者の他の領域にある比較的生命力の強い毛髪の毛根およびその周部領域を含む皮膚をドナーとして採取して移植する際に使用され、ドナーとして採取する毛髪を中心として、その周部の皮膚に穿刺される先端尖鋭な管状の切込口と、該切込口が対応する皮膚領域に穿刺された状態において、該管状の切込口の全体を軸回りに回転駆動させ、ドナー領域の皮膚を穿開可能とする回転手段と、回転手段により軸回りに回転駆動された切込口内に留置されるドナー領域の皮膚を、吸引エアにより切込口を形成する管状体の内部にドナーとして吸引・採取する吸引手段と、を備えたことを特徴とする毛髪移植用具としたものである。
【００１０】
請求項３に記載の発明は、患者の頭皮のうち、毛髪がない領域あるいは毛髪の少ない領域の皮膚に対し、その患者の他の領域にある比較的生命力の強い毛髪の毛根およびその周部領域を含む皮膚をドナーとして採取して移植する際に使用され、ドナーとして採取する毛髪を中心として、その周部の皮膚に穿刺される先端尖鋭な管状の切込口と、該切込口が対応する皮膚領域に穿刺された状態において、該管状の切込口の全体を軸回りに回転駆動させ、ドナー領域の皮膚を穿開可能とする回転手段と、回転手段により軸回りに回転駆動された切込口内に留置されるドナー領域の皮膚を、吸引エアにより切込口を形成する管状体の内部にドナーとして吸引・採取する吸引手段と、管状体に接続され、順次吸引手段にて吸引される複数のドナーを貯留可能とし、内部に吸引手段により吸引される吸引エアを通過させるとともに、吸引エアとともに吸引されたドナーを捕集する捕集網を備えた貯留体と、を備えたことを特徴とする毛髪移植用具としたものである。
【００１１】
請求項４に記載の発明は、回転手段は切込口を構成する管状体と一体に構成され、または管状体と接続して構成される回転軸を備えたモータとされ、該モータの回転軸は吸引手段により吸引されるドナーを吸引エアとともに内部を通過可能とする管状体としてなる請求項２または請求項３のいずれかに記載の毛髪移植用具としたものである。
【００１２】
請求項５に記載の発明は、患者の頭皮のうち、毛髪がない領域あるいは毛髪の少ない領域の皮膚に対し、その患者の他の領域にある比較的生命力の強い毛髪の毛根およびその周部領域を含む皮膚をドナーとして採取して移植する際に使用され、ドナーとして採取する毛髪を中心として、その周部の領域が円形に穿開されたドナー領域の皮膚を、先端に形成された吸引口より管状体の内部にドナーとして吸引・採取する吸引手段と、管状体に接続され、順次吸引手段にて吸引される複数のドナーを貯留可能とし、内部に吸引手段により吸引される吸引エアを通過させるとともに、吸引エアとともに吸引されたドナーを捕集する捕集網を備えた貯留体と、を備えたことを特徴とする毛髪移植用具としたものである。
【００１３】
請求項６に記載の発明は、患者の頭皮のうち、毛髪がない領域あるいは毛髪の少ない領域の皮膚に対し、その患者の他の領域にある比較的生命力の強い毛髪の毛根およびその周部領域を含む皮膚をドナーとして採取して移植する際に使用され、ドナーとして採取する毛髪を中心として、その周部の皮膚に穿刺される先端尖鋭な管状の切込口と、該切込口が対応する皮膚領域に穿刺された状態において、該管状の切込口の全体を軸回りに回転駆動させ、ドナー領域の皮膚を穿開可能とする回転手段と、回転手段により軸回りに回転駆動された切込口内に留置されるドナー領域の皮膚を、吸引エアにより切込口を形成する管状体の内部にドナーとして吸引・採取する吸引手段と、管状体に接続され、順次吸引手段にて吸引されるドナーを、吸引エアとともに患者の頭皮のうち、毛髪がない領域あるいは毛髪の少ない領域の皮膚で、穿開処理された移植先の皮膚のポイントに位置決めされた毛髪移植用ハンドピースに給送する給送管路と、を備えたことを特徴とする毛髪移植用具としたものである。
【００１４】
請求項７に記載の発明は、患者の頭皮のうち、毛髪がない領域あるいは毛髪の少ない領域の皮膚に対し、その患者の他の領域にある比較的生命力の強い毛髪の毛根およびその周部領域を含む皮膚をドナーとして採取して移植する際に使用され、全体管状をなすシリンダ内にピストンを内挿し、該ピストンはシリンダの一端側に接続されるエアポンプの吸排動作によりシリンダ内を軸線方向に往復動し、シリンダの他端側においてピストンに取着され、シリンダの他端に配設される筒状部内に内挿されて、筒状部内の先端に形成されるドナー供給口より、該筒状部に供給されたドナーを押し出して、患者の頭皮のうち、毛髪がない領域あるいは毛髪の少ない領域の皮膚で穿開処置された移植先の皮膚のポイントに位置決めされたドナー供給口より、ドナーを供給して移植する移植ロッドを備えた毛髪移植用ハンドピースであって、シリンダの他端側の筒状部に、ドナーを筒状部内に対して毛髪がピストン側に向き、かつ毛根およびその周部領域がドナー供給口に向く姿勢で供給する給送管路を接続させることとした毛髪移植用ハンドピースとしたものである。
【００１５】
請求項８に記載の発明は、シリンダの一端側には、シリンダ内を往復動するピストンの一端側のストローク端の位置を規制し、シリンダの軸線方向にスライド可能とされる調整部材を備えることとした請求項７に記載の毛髪移植用ハンドピースとしたものである。
【００１６】
請求項９に記載の発明は、給送管路は患者の他の領域にある比較的生命力の強い毛髪の毛根およびその周部領域を含む皮膚からなるドナーを吸引・採取する毛髪採取用の毛髪移植用具に接続され、採取された状態のドナーをシリンダの他端側の筒状部に給送するものである請求項７に記載の毛髪移植用ハンドピースとしたものである。
【００１７】
請求項１０に記載の発明は、シリンダの他端側の筒状部には、給送されたドナーに付着された血液、不純物を吸引・除去する吸引管路を接続することとした請求項７、請求項８、請求項９のいずれかに記載の毛髪移植用ハンドピースとしたものである。
【発明の効果】
【００１８】
請求項１に記載の発明によれば、ドナー領域の皮膚を簡単に穿開することができ、患者の毛根およびその周部領域の毛髪をドナーとして効率的に採取することができる。
【００１９】
請求項２に記載の発明によれば、請求項１に記載の発明の効果を一層確実に得ることができる。
【００２０】
請求項３に記載の発明によれば、ドナーを効率的に捕集し、捕集されたドナーを効率的に移植できる効果がある。
【００２１】
請求項４に記載の発明によれば、請求項１に記載の効果を一層確実に得ることができる。
【００２２】
請求項５に記載の発明によれば、請求項１に記載の効果を一層確実に得ることができる。
【００２３】
請求項６に記載の発明によれば、ドナーを効率的に移植領域まで給送し、効率的な移植を行うことができるという効果がある。
【００２４】
請求項７に記載の発明によれば、採取されたドナーを効率的に同じ患者の頭皮に移植することができるという効果がある。
【００２５】
請求項８に記載の発明によれば、請求項７に記載の効果を一層確実に得ることができる。
【００２６】
請求項９に記載の発明によれば、請求項７に記載の効果を一層確実に得ることができる。
【００２７】
請求項１０に記載の発明によれば、請求項７に記載の効果を一層確実に得ることができる。
【発明を実施するための最良の形態】
【００２８】
以下、本発明の各毛髪移植用具に係る実施形態を図面に基づいて説明する。
【００２９】
図１および図２は、本発明の一実施形態に係り、患者の頭皮のうち、後頭部や側頭部などに生えた髪の毛等、比較的生命力の強い毛髪の毛根およびその周部領域を含む皮膚を、ドナーとして採取する際に使用する皮膚の穿開用の毛髪移植用具１０に関する（請求項１に対応）。
【００３０】
すなわち、毛髪移植用具１０は、患者の頭皮のうち、比較的生命力の強い毛髪１１が生えた部分の毛根１２並びにその周部領域の皮膚を採取する際、毛髪１１を中心とする周部領域を円形に穿開するのに使用するためのものである（図２参照）。
【００３１】
毛髪移植用具１０による皮膚の穿開施術を行うに際しては、図１に示すように髪の毛の長さをＬ１と、比較的短く刈り込んでおくようにする。
【００３２】
毛髪移植用具１０は、先端尖鋭な管状体１３を備え、該管状体１３は先端の円形の切込口１４を皮膚に穿刺可能としている。この管状体１３は、毛髪移植用具１０の基端部側に配設されるモータ（回転手段）の軸１５と連結され、該軸１５はモータの駆動により連結される管状体１３の全体を矢印Ａ方向に軸回りに回転駆動させることを可能にしている。
【００３３】
すなわち、毛髪移植用具１０は、円形の切込口１４を図２に示すように、毛髪１１を中心とする皮膚の周部領域に対して矢印Ｂ方向に穿刺することとし、この際切込口１４の全体を矢印Ａ方向に回転するようにする。切込口１４を深さＤ１（およそ３〜４mm程度）穿刺したら、切込口１４を矢印Ｃに示すように皮膚から抜くようにする。すると毛髪１１を中心とする毛根１２を含む皮膚の周部領域が、幅Ｗ１のドナー領域として画成されることとなり、この作業を毛髪移植用具１０により、図１の矢印方向に順次行うことで、ドナー領域の皮膚を順次毛髪１１を中心として穿開することが可能となる。
【００３４】
次に、図１に示すように、ドナー領域の皮膚に関し、毛髪１１を中心として穿開された部分を、矢印方向に順次吸引し、採取するための毛髪移植用具１６の実施形態（請求項５に対応）を図３ないし図６に基づき、説明する。
【００３５】
毛髪移植用具１６は、図１に示すようにして、毛髪１１の周部が穿開された状態にある皮膚を図３の矢印方向に順次吸引・採取するためのものである。
【００３６】
この用具１６は、把持部１７の先端部に吸引ノズル１８を備えてなり、該吸引ノズル１８には、把持部１７の基端側に延設される輸送チューブ１９（管状体）が接続される。
【００３７】
把持部１７の基端部にはホルダ２０が取付けられ、該ホルダ２０には貯留体２１が取着される。この貯留体２１には、一端側が吸引ノズル１８と接続される前記輸送チューブ１９の他端部側が接続される。また、貯留体２１には不図示の吸引ポンプに接続される吸引チューブ２２が接続される。
【００３８】
すなわち、吸引チューブ２２は吸引ポンプの作動により、円筒形の貯留体２１の内部に矢印Ｄ方向の吸引力を及ぼすこととし（図３、図５参照）、この結果、貯留体２１の内部において、輸送チューブ１９の接続部から吸引エアを矢印Ｅ方向（図５参照）に吸引して通過させ、吸引チューブ２２へと給送する負圧力を付与可能にしている。
【００３９】
矢印Ｅ方向に内部に吸引エアを吸引する輸送チューブ１９は、その一端部と接続される吸引ノズル１８の吸引口２３において吸引エアを吸引することとなり、施術者は図３に示すように把持部１１を持つ状態で吸引口２３を順次矢印方向（図３参照）に穿開された皮膚の部分に近づけることで、吸引エアとともに毛髪１１を中心とするその周部領域を、ドナー２４として吸引・採取可能とする。
【００４０】
図４に示すように吸引口２３より吸入されるドナー２４は、吸引ノズル１８内、並びにノズル１８と接続される輸送チューブ１９内において、吸引方向（矢印Ｅ方向）における吸引源側に毛髪１１の先端が向き、また毛根１２がノズル１８側に向く姿勢で給送されることとなる。この姿勢はノズル１８並びにチューブ１９の内径サイズから貯留体２１へ給送されるまで維持される。
【００４１】
図５に示す貯留体２１は、全体円筒形のプラスチック材で形成され、一端側に配設される開閉蓋２５を開けることで内部の支持部２６に支持される捕集網２７を取出し可能としている。
【００４２】
すなわち、貯留体２１は、その内部において接続する輸送チューブ１９から吸引チューブ２２へと矢印Ｅ方向に吸引エアを通過させることで支持部２６に配設される捕集網２７で順次吸引されるドナー２４を捕集し、貯留可能にしている。
【００４３】
この結果、頭皮においてこの用具１６を用いて多数本のドナー２４の吸引、採取作業が行われた段階で、開閉蓋２５を開け、中から捕集網２７を取り出すことにより、図６に示すように、その表面に採取された多数本のドナー２４を収集・配置させることが可能となる。
【００４４】
次に、図７および図８に基づき、患者の頭皮のうち、比較的生命力の強い毛髪１１が生えた部分の毛根１２並びにその周部領域の皮膚を採取する際、毛髪１１を中心とする周部領域を円形に穿開し、さらに穿開された皮膚の領域部分を吸引し、採取するタイプの毛髪移植用具２８を説明する（請求項２、３、４に対応）。
【００４５】
この毛髪移植用具２８は、先端尖鋭な管状体２９を備え、該管状体２９は先端の円形の切込口３０を皮膚に穿刺可能としている。この管状体２９は、毛髪移植用具２８内の基端部側に配設されるモータ３１（図８参照）の軸と一体のものとされ、モータ３１の駆動により、モータ軸としての管状体２９の全体は、矢印Ｆ方向に軸回りに回転駆動可能とされる。
【００４６】
すなわち、毛髪移植用具２８は、円形の切込口３０を図７に示すように、毛髪１１を中心とする皮膚の周部領域に対して矢印Ｇ方向に穿刺することとし（図７・図８参照）、この際切込口３０の全体を矢印Ｆ方向に回転するようにする。切込口３０を深さ３〜４mm程度穿刺したら、切込口３０を矢印Ｈに示すように皮膚から抜くようにする。すると毛髪１１を中心とする毛根１２を含む皮膚の周部領域が、ドナー領域Ｉ（図７参照）として画成されることとなり、この作業を毛髪移植用具２８により、図７の矢印方向に順次行うことで、ドナー領域の皮膚を順次毛髪１１を中心として穿開することが可能となる。
【００４７】
加えてこの毛髪移植用具２８は、毛髪１１の周部が穿開された状態にある皮膚を図８の矢印方向に順次ドナー２４として吸引し、モータ軸を兼ねる管状体２９の内部を通過させ、毛髪移植用具２８の基端側に接続される輸送チューブ１９（管状体）へと給送可能にしている。
【００４８】
すなわちこの毛髪移植用具２８は、先端の切込口３０の部分を吸引ノズルの吸引口として兼ねるものであり、施術者は図７に示すように用具２８の把持部３２を把持する状態で先端の切込口３０を順次皮膚に穿刺し、その部分をドナー２４として吸引・採取可能にしている。
【００４９】
把持部３２の基端部にはホルダ２０が取付けられ、該ホルダ２０には図３あるいは図５で示す貯留体と同じ構造の貯留体２１が取着される。この貯留体２１には、一端側が毛髪移植用具２８の基端部と接続される前記輸送チューブ１９の他端部側が接続される。また、貯留体２１には不図示の吸引ポンプに接続される吸引チューブ２２が接続される。なお、貯留体の構造については、図５に示すものと同じであるため、以下図５を参照してその説明を行う。
【００５０】
すなわち、吸引チューブ２２は吸引ポンプの作動により、円筒形の貯留体２１の内部に図７に示す矢印Ｄ方向の吸引力を及ぼすこととし、この結果、貯留体２１の内部において、輸送チューブ１９の接続部から吸引エアを矢印Ｅ方向（図５参照）に吸引して通過させ、吸引チューブ２２へと給送する負圧力を付与可能にしている。
【００５１】
矢印Ｅ方向に内部に吸引エアを吸引する輸送チューブ１９は、その一端部と接続される毛髪移植用具２８内において管状体２９を介して切込口３０において吸引エアを吸引することとなり、施術者は図７に示すように把持部３２を持つ状態で切込口３０を順次皮膚に穿刺することで、吸引エアとともに毛髪１１を中心とするその周部領域を、ドナー２４として吸引・採取可能とする。
【００５２】
図８に示すように切込口３０より吸入されるドナー２４は、モータ軸兼用の管状体２９内、並びに管状体２９と対向配置される輸送チューブ１９内において、吸引方向（矢印Ｅ方向）における吸引源側に毛髪１１の先端が向き、また毛根１２が切込口３０側に向く姿勢で給送されることとなる。この姿勢はモータ軸を兼ねる管状体２９の内部（図８の拡大部参照）並びにチューブ１９の内径サイズから貯留体２１へ給送されるまで維持される。
【００５３】
図５に示す貯留体２１は、全体円筒形のプラスチック材で形成され、一端側に配設される開閉蓋２５を開けることで内部の支持部２６に支持される捕集網２７を取出し可能としている。
【００５４】
すなわち、貯留体２１は、その内部において接続する輸送チューブ１９から吸引チューブ２２へと矢印Ｅ方向に吸引エアを通過させることで支持部２６に配設される捕集網２７で順次吸引されるドナー２４を捕集し、貯留可能にしている。
【００５５】
この結果、頭皮においてこの用具２８を用いて皮膚を穿開し、多数本のドナー２４の吸引、採取することができ、ある程度のドナー２４が採取された段階で、開閉蓋２５を開け、中から捕集網２７を取り出すことにより、図６に示すように、その表面に採取された多数本のドナー２４を収集・配置させることが可能となる。
【００５６】
次に、図９および図１０に基づき、患者の頭皮のうち、比較的生命力の強い毛髪１１が生えた部分の毛根１２並びにその周部領域の皮膚を採取する際、毛髪１１を中心とする周部領域を円形に穿開し、さらに穿開された皮膚の領域部分を吸引し、採取して、患者の頭皮のうち、毛髪がない領域あるいは毛髪の少ない領域に位置された移植用ハンドピースに給送可能とするタイプの毛髪移植用具３３を説明する（請求項６に対応）。
【００５７】
この毛髪移植用具３３は、図９に示すように例えば患者の頭皮のうち、生命力の強い後頭部の毛根１２並びにその周部領域の皮膚をドナー２４として採取し、これを給送管路３４により毛髪移植用ハンドピース３５に給送するためのものである。
【００５８】
ここで毛髪移植用ハンドピース３５は、患者の頭皮のうち、例えば毛髪が少ない前頭部側の移植先ポイントに位置決めされ、該ポイントにおいては、予めドナー２４を移植するための移植床を穿開して形成する施術が行われる。
【００５９】
図１０に示す毛髪移植用具３３は、図７に示す毛髪移植用具２８と略同一の構造とされ、その内部構造については以下図８に基づいて説明する。
【００６０】
すなわち、この毛髪移植用具３３は、先端尖鋭な管状体２９を備え、該管状体２９は先端の円形の切込口３０を皮膚に穿刺可能としている。この管状体２９は、毛髪移植用具３３内の基端部側に配設されるモータ３１（図８参照）の軸と一体のものとされ、モータ３１の駆動により、モータ軸としての管状体２９の全体は、矢印Ｆ方向に軸回りに回転駆動可能とされる。
【００６１】
すなわち、毛髪移植用具３３は、円形の切込口３０を図７に示すように、毛髪１１を中心とする皮膚の周部領域に対して矢印Ｇ方向に穿刺することとし（図１０・図８参照）、この際切込口３０の全体を矢印Ｆ方向に回転するようにする。切込口３０を深さ３〜４mm程度穿刺したら、切込口３０を矢印Ｈに示すように皮膚から抜くようにする。すると毛髪１１を中心とする毛根１２を含む皮膚の周部領域が、ドナー領域Ｉ（図１０参照）として画成されることとなり、この作業を毛髪移植用具３３により、図１０の矢印方向に順次行うことで、ドナー領域の皮膚を順次毛髪１１を中心として穿開することが可能となる。
【００６２】
加えてこの毛髪移植用具３３は、毛髪１１の周部が穿開された状態にある皮膚を図８の矢印方向に順次ドナー２４として吸引し、モータ軸を兼ねる管状体２９の内部を通過させ、毛髪移植用具３３の基端側に接続される給送管路３４へと給送可能にしている。
【００６３】
すなわちこの毛髪移植用具３３は、先端の切込口３０の部分を吸引ノズルの吸引口として兼ねるものであり、施術者は図１０に示すように用具３３の基端部を把持する状態で先端の切込口３０を順次皮膚に穿刺し、その部分をドナー２４として吸引・採取可能にしている。
【００６４】
移植用具３３に接続される給送管路３４においては、間に給送ポンプ３６が介装され、管路３４内においては、給送ポンプ３６の作動により、図１０の矢印Ｄ方向の吸引力を移植用具３３内の管状体２９に及ぼすこととし、これにより切込口３０において吸引エアを吸引することとなる。すなわち施術者は図１０に示すように移植用具３３を持つ状態で切込口３０を順次皮膚に穿刺することで、吸引エアとともに毛髪を中心とするその周部領域を、ドナー２４として吸引・採取可能とする。
【００６５】
図９の拡大部に示すように、切込口３０より吸入されるドナー２４は、移植用具３３内のモータ軸兼用の管状体２９内、給送管路３４内においても、給送先である毛髪移植用ハンドピース３５側にも毛髪１１の先端が向き、また毛根１２が切込口３０側に向く姿勢で給送が行われることとなる。こうして移植用具３３は、穿開・吸引して採取したドナー２４を給送管路３４により、直接毛髪移植用ハンドピース３５へと順次供給することが可能となり、例えば一人の施術者が移植用具３３を把持してドナー２４を採取し、もう一人の施術者がハンドピース３５を把持して採取されたばかりのドナー２４を移植することが可能となる。
【００６６】
次に、図９に示された毛髪移植用ハンドピース（請求項７ないし１０に対応）の詳細を図１１ないし図１３に基づいて説明する。毛髪移植用ハンドピース３５は図１１に示すように施術者が手に把持する状態で使用され、図１２、図１３に示すように基端部に全体管状のシリンダ３７を備えるようにしている。
【００６７】
シリンダ３７はその一端である上端側に、シリンダ３７内の上端にエアを吸排するためのエアチューブ３８が接続される。エアチューブ３８は不図示のエアポンプの作動によりシリンダ３７内にエアを吸排させることを可能とし、これによりシリンダ３７内に配設される円柱形状のピストン３９をシリンダ３７内においてその軸線方向（Ｘ方向）に往復動させることを可能にしている。
【００６８】
エアポンプの作動は、施述者が不図示のフットペダルを操作し、シリンダ３７に対してエアを吸排動作させることで実行され、フットペダルにおいてはシリンダ３７にエアを吸入操作するためのものと、シリンダ３７からエアを排出操作するためのものがそれぞれ存在する。  
【００６９】
シリンダ３７内に配設されるピストン３９は、その外周部２ヶ所にＯリング４０が外装され、シリンダ３７の他端である下端例には、シリンダ３７内に内挿される状態で筒状部材４１が取着される。すなわち、この筒状部材４１はシリンダ３７の軸線方向（Ｘ方向）の中心にそってロッド挿通孔４２を備えるものとされ、該ロッド挿通孔４２には、ピストン３９の下端中心から下方に延設される移植ロッド４３が内挿される。
【００７０】
シリンダ３７の一端である上端側には、その中心にシリンダ３７の軸先方向（Ｘ方向）にスライド調整可能とされる調整ネジ４４Ａ（調整部材）が配設される。調整ネジ４４Ａは、上端のツマミ４４Ｂを螺動調整３３することで下端の衝合ロッド４５のＸ方向における位置を調整可能にしている。すなわち、調整ネジ４４Ａは、シリンダ３７内をＸ方向に往復移動するピストン３９の上端側のストローク位置を規制するようにしている。一方、シリンダ内をＸ方向に往復移動されるピストン３９は、下方にスライドされた状態において筒状部材４１の上端部と衝合し、下端側のストローク位置が規制される。
【００７１】
筒状部材４１は図１２および図１３に示すように、下端側において給送管路３４の他端側に配設されるコネクタ４６が接続される。すなわち、このコネクタ４５は図１２に示すように、給送管路３４から毛髪１１をハンドピース３５側に、毛根１２をポンプ３６側に向ける姿勢でドナー２４を給送可能とし、給送されるドナー２４はロッド挿通孔４２内に対し、毛髪１１が上方に、毛根１２が下方に向く姿勢で供給されることとなる。
【００７２】
さらに筒状部材４１のコネクタ４６が接続される上方側には、吸引管路４７から延設されるコネクタ４８が接続される。このコネクタ４８はシリンダ３７の下端に形成される切欠部４９に位置決めされ、該切欠部４９に位置決めされる部分において、シリンダ３７の下端に内挿される筒状部材４１との間に外ネジ部５０を備えるようにしている。この外ネジ部５０には取付ネジ５１が螺着され、シリンダ３７の下端に内挿される筒状部材４１は、取付ネジ５１をシリンダ３７側に螺動し、間の切欠部４９のギャップを締付けることによりシリンダ３７に固定することを可能としている。すなわち、切欠部４９の部分において、筒状部材４１と接続されるコネクタ４８は、取付ネジ５１の締付けを締めることで上下にスライド可能とされ、該スライドにより筒状部材４１のシリンダ３７に対する内挿取付位置を微調整可能としている。
【００７３】
ここで接続されるコネクタ４８は、矢印Ｊ方向にエアを吸引する吸引管路４７の作用により、筒状部材４１のロッド挿通孔４２内に供給されるドナー２４に付着される血液、不純物を矢印Ｊ方向に吸引し、除去可能とし、これにより給送され、移植するドナー２４を清浄にすることを可能にしている。
【００７４】
図１２に示すように給送管路３４から給送され、ロッド挿通孔４２に供給されるドナー２４は、不図示のフットペダルによりピストン３９の上方側のシリンダ３７内にエアを供給させることでピストン３９を下方に移動させ、これにより図１３に示すように移植ロッド４３を下降操作して、挿通孔４２内を下方に移動可能にする。
【００７５】
ピストン３９が筒状部材４１の上端部に衝合する下降ストローク端まで移動すると、ロッド挿通孔４２の下端に開口されたドナー供給口５２より、ロッド挿通孔４２に供給されたドナー２４を押し出すことが可能となる。この結果、図１１並びに図１３に示すように予め穿開具により頭皮に形成された移植床５３にドナー２４を供給し、移植することが可能となる。
【００７６】
ここで移植床５３の形成は、図３に示す穿開、吸引用の毛髪移植用具を用い、毛髪のない領域あるいは毛髪の少ない領域の皮膚を穿開処理して行うのが好適とされる。こうして形成されたドナー２４の移植先のポイントである各移植床５３に、毛髪移植用ハンドピース３５のドナー供給口５２を順次位置決めすることにより（図１１参照）、筒単に移植床５３にドナー２４の移植を行うことが可能となる。
【００７７】
さらに実施形態に係る毛発移植用ハンドピース３５においては、取付ネジ５１を緩めて筒状部材４１のシリンダ３７に対する内挿、取付位置を調整したり、また調整ネジ４４Ａのツマミ４４Ｂを螺動調整して移植ロッド４３とドナー供給口５２との位置関係を調整することも可能となる。例えば施述者がドナー供給口５２からドナー２４２を移植床５３に押し出し、供給する際、移植ロッド４３の先端のドナー供給口５２からの突出状態を微調整したい場合、こうした調整作業を行うようにしている。
【００７８】
このように実施形態に係る毛髪移植用ハンドピース３５によれば、フットペダルの操作により順次筒状部材４１のロッド挿通孔４２内に供給されるドナー２４を移植床５３に移植することができ、この際ドナー２４はロッド挿通孔４２内で毛髪１１を上方に、毛根１２を下方に向けた状態で位置決めされるので単に移植ロッド４３を上昇・下降させるだけで、ドナー２４の姿勢を制御することなく移植を行うことが可能となる。
【００７９】
なお、上記毛髪移植用ハンドピース３５において給送管路３４は、図１０に示すように毛髪移植用具３３より吸引され、圧送されるドナー２４を、順次移植するようにしているが、例えば給送管路３４を図６に示す状態で捕集網２７上に配設されたドナー２４を吸引するための吸引具に接続し、該吸引具から順次ロッド挿通孔４２へとドナー２４を給送させるようにしてもよい。これにより上記毛髪移植用具１６、３２で採取されてドナー２４についてもこれを給送管路３４でハンドピース３５に供給し、移植することができる。
【図面の簡単な説明】
【００８０】
【図１】移植元の頭皮における各毛根並びにその周部を、穿開用の毛髪移植用具により穿開する状態を示す断面図である。
【図２】穿開用の毛髪移植用具により毛根並びにその周部を穿開した状態を示す拡大断面図である。
【図３】吸引用の毛髪移植用具により、穿開された毛根並びにその周部をドナーとして吸引する状態を示す断面図である。
【図４】吸引用の毛髪移植用具により、吸引されるドナーの状態を示す正面図である。
【図５】吸引用の毛髪移植用具により吸引されたドナーを貯留する貯留体の内部を示す断面図である。
【図６】貯留体の捕集網に捕集されたドナーを示す斜視図である。
【図７】穿開吸引用の毛髪移植用具により、移植元の頭皮における毛根並びにその周部を順次穿開・吸引する状態を示す断面図である。
【図８】穿開吸引用の毛髪移植用具の内部構造を示す断面図である。
【図９】穿開吸引用の毛髪移植用具により移植元より吸引されたドナーを移植先の頭皮に移植する状態を示す側面図である。
【図１０】穿開吸引用の毛髪移植用具により移植元の毛根並びにその周部を穿開・吸引する状態を示す断面図である。
【図１１】移植先の頭皮に対し、移植元より給送されたドナーを毛髪移植用ハンドピースにより移植する状態を示す断面図である。
【図１２】毛髪移植用ハンドピースの内部構造を示す断面図である。
【図１３】移植用ハンドピース内の移植ロッドの下降により、穿開処理された移植先の皮膚にドナーを移植させる状態を示す断面図である。
【図１４】従来実施されていた移植元からの移植毛の採取方法を示す側面図である。
【図１５】採取された移植毛の株分け方法を示す断面図である。
【図１６】移植先の頭皮において、穿開処理された移植床を形成し、ドナーを移植する従来の方法を示す断面図である。
【図１７】ドナーが移植された頭皮の状態を示す側面図である。
【図１８】移植され、自毛が再生された頭部の状態を示す側面図である。
【符号の説明】
【００８１】
１          毛髪群
２          メス
３          ドナー
４          移植床
５          ピンセット
１０        毛髪移植用具（穿開用）
１１        毛髪
１２        毛根
１３、２９  管状体
１４、３０  切込口
１５        モータ軸
１６        毛髪移植用具（吸引・採取用）
１７、３２  把持部
１８        吸引ノズル
１９        輸送チューブ（管状体）
２０        ホルダ
２１        貯留体
２２        吸引チューブ
２３        吸引口
２４        ドナー
２５        開閉蓋
２６        支持部
２７        捕集網
２８        毛髪移植用具（穿開・吸引用）
３１        モータ
３３        毛髪移植用具（穿開・吸引・給送用）
３４        給送管路
３５        毛髪移植用ハンドピース
３６        給送ポンプ
３７        シリンダ
３８        エアチューブ
３９        ピストン
４０        Ｏリング
４１        筒状部材
４２        ロッド挿通孔
４３        移植ロッド
４４        調整ネジ（調整部材）
４５        衝合ロッド
４６，４８  コネクタ
４９        切欠部
５１        取付ネジ
５２        ドナー供給口
５３        移植床
【図１】
2007229330.tif 000003
【図２】
2007229330.tif 000004
【図３】
2007229330.tif 000005
【図４】
2007229330.tif 000006
【図５】
2007229330.tif 000007
【図６】
2007229330.tif 000008
【図７】
2007229330.tif 000009
【図８】
2007229330.tif 000010
【図９】
2007229330.tif 000011
【図１０】
2007229330.tif 000012
【図１１】
2007229330.tif 000013
【図１２】
2007229330.tif 000014
【図１３】
2007229330.tif 000015
【図１４】
2007229330.tif 000016
【図１５】
2007229330.tif 000017
【図１６】
2007229330.tif 000018
【図１７】
2007229330.tif 000019
【図１８】
2007229330.tif 000020